【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
制限された通信リソースを持つデバイスに、バンドリングされた送信としてデータを送信し、前記バンドリングされた送信は、多数のバーストを含み、各バーストは、複数の送信時間間隔ＴＴＩに拡がり、同一のデータが、各バースト中で送信されることと、
前記バンドリングされた送信に対して、空間的ダイバーシティ、時間ダイバーシティ、または、周波数ダイバーシティの内の少なくとも１つを増加させることとを含む方法。
【請求項２】
各バーストは、６個のリソースブロックＲＢを超えない狭帯域中で送信される請求項１記載の方法。
【請求項３】
前記空間的ダイバーシティを増加させることは、連続するバーストが異なるプリコーディングを使用して送信されるように、プリコーディングサイクリングを適用することを含む請求項１記載の方法。
【請求項４】
同一のプリコーディングが、バースト内で使用される請求項３記載の方法。
【請求項５】
プリコーディングサイクリングのタイプは、バンドリングされた送信において送信されるチャネルのタイプに、少なくとも部分的に依存する請求項３記載の方法。
【請求項６】
バースト長、または、前記増加する時間ダイバーシティの内の少なくとも１つは、バースト間の少なくとも１つのＴＴＩのギャップを維持することに、少なくとも部分的に基づいている請求項１記載の方法。
【請求項７】
ワイヤレス通信のための装置において、
制限された通信リソースを持つ、デバイスに、バンドリングされた送信としてデータを送信し、前記バンドリングされた送信は、多数のバーストを含み、各バーストは、複数の送信時間間隔ＴＴＩに拡がり、同一のデータが、各バースト中で送信される手段と、
前記バンドリングされた送信に対して、空間的ダイバーシティ、時間ダイバーシティ、または、周波数ダイバーシティの内の少なくとも１つを増加させるための動作を行う手段とを具備する装置。
【請求項８】
制限された通信リソースを持つデバイスによるワイヤレス通信のための方法において、
バンドリングされた送信に対して、空間的ダイバーシティ、時間ダイバーシティ、または、周波数ダイバーシティの内の少なくとも１つを増加させるための構成情報を受信し、前記バンドリングされた送信は、多数のバーストを含み、同一のデータが、各バースト中で送信されることと、
前記構成情報にしたがって、前記バンドリングされた送信を受信して処理することとを含む方法。
【請求項９】
各バーストは、６個のリソースブロックＲＢを超えない狭帯域中で受信される請求項８記載の方法。
【請求項１０】
前記空間的ダイバーシティを増加させるための構成情報は、連続するバーストが異なるプリコーディングで受信されることを示す情報を含む請求項８記載の方法。
【請求項１１】
同一のプリコーディングが、バースト内で使用される請求項１０記載の方法。
【請求項１２】
プリコーディングサイクリングのタイプは、前記バンドリングされた送信において受信されるチャネルのタイプに、少なくとも部分的に依存する請求項１０記載の方法。
【請求項１３】
バースト長、または、前記時間ダイバーシティを増加させるための構成情報の内の少なくとも１つは、バースト間の少なくとも１つの送信時間間隔ＴＴＩのギャップを示す情報を含む請求項８記載の方法。
【請求項１４】
制限された通信リソースを持つデバイスによるワイヤレス通信のための装置において、
バンドリングされた送信に対して、空間的ダイバーシティ、時間ダイバーシティ、または、周波数ダイバーシティの内の少なくとも１つを増加させるための構成情報を受信し、前記バンドリングされた送信は、多数のバーストを含み、同一のデータが、各バースト中で送信される手段と、
前記構成情報にしたがって、前記バンドリングされた送信を受信して処理する手段とを具備する装置。
【請求項１５】
請求項１〜６または８〜１３のうちの１項に記載の方法を実行するための命令を含むコンピュータプログラム。
【手続補正２】
【補正対象書類名】明細書
【補正対象項目名】００６９
【補正方法】変更
【補正の内容】
【００６９】
[0081]  本開示の先の説明は、当業者が本開示を製造または使用することを可能にするために提供される。本開示に対する様々な修正は、当業者に容易に明らかであり、本明細書において定義されている包括的な原理は、本開示の精神または範囲から逸脱せずに、他のバリエーションに適用され得る。よって、本開示は、本明細書において説明された例および設計に限定されるように意図されておらず、本明細書で開示された原理および新規の特徴と一致する最も幅広い範囲が与えられるべきである。
以下に、本願出願の当初の特許請求の範囲に記載された発明を付記する。
［１］  制限された通信リソースを持った、デバイスへのバンドリングされた送信としてデータを送信することと、前記バンドリングされた送信は、多数のバーストを備え、ここにおいて、各バーストは、複数の送信時間期間（ＴＴＩ）に拡がり、同一のデータが各バースト中で送信され、
前記バンドリングされた送信について、空間的ダイバーシティ、時間ダイバーシティ、または周波数ダイバーシティの内の少なくとも１つを増加することとを備える、ワイヤレス通信のための方法。
［２］  各バーストは、６個のリソースブロック（ＲＢ）を超えない狭帯域中で送信される、［１］に記載の方法。
［３］  前記周波数ダイバーシティを増加することは、連続するバーストが異なる周波数リソースを使用して送信されるように、周波数ホッピングを実行することを備える、［１］に記載の方法。
［４］  異なるデバイスに、バンドリングされた送信として、データを送信するとき、周波数ホッピングを実行するために、異なる周波数ホッピングパターンが使用される、［３］に記載の方法。
［５］  前記周波数ホッピングを実行するために使用される周波数ホッピングパターンは、送信デバイスの識別子に少なくとも部分的に決定される、［３］に記載の方法。
［６］  バースト間のギャップは、前記デバイスによって周波数再調節されるに十分な時間に基づいて決定される、［３］に記載の方法。
［７］  前記空間的ダイバーシティを増加することは、連続するバーストが異なるプリコーディングを使用して送信されるように、プリコーディングサイクリングを適用することを備える、［１］に記載の方法。
［８］  同一のプリコーディングが、バースト内で使用される、［７］に記載の方法。
［９］  プリコーディングサイクリングのタイプは、バンドリングされた送信において送信されるチャネルのタイプに、少なくとも部分的に依存する、［７］に記載の方法。
［１０］  物理ダウンリンク共有チャネル（ＰＤＳＣＨ）について、前記プリコーディングサイクリングは、少なくとも２つのアンテナポートの、少なくとも２つのビーム方向へのマッピングを利用する、［９］に記載の方法。
［１１］  バースト長、または前記増加する時間ダイバーシティの内の１つは、バースト間の少なくとも１つのＴＴＩのギャップを維持することに、少なくとも部分的に基づいている、［１］に記載の方法。
［１２］  バースト長、またはバースト間のギャップの持続時間の内の１つは、アップリンク／ダウンリンクサブフレーム構成に依存する、［１］に記載の方法。
［１３］  前記バースト長、または前記バースト間の前記ギャップの前記持続時間の内の１つは、同一タイプの連続するサブフレームの数に依存する、［１２］に記載の方法。
［１４］  前記デバイスへの前記バンドリングされた送信は、第２のデバイスへのバンドリングされた送信として送信されるデータと多重化され、ここにおいて、前記デバイスへのバンドリングされた送信のために使用されるバンドルサイズは、前記第２のデバイスへの前記バンドリングされた送信のために使用される第２のバンドルサイズと異なる、［１］に記載の方法。
［１５］  制限された通信リソースを持った、デバイスへのバンドリングされた送信としてデータを送信するように構成された送信機と、前記バンドリングされた送信は、多数のバーストを備え、ここにおいて、各バーストは、複数の送信時間期間（ＴＴＩ）に拡がり、同一のデータが各バースト中で送信され、
前記バンドリングされた送信について、空間的ダイバーシティ、時間ダイバーシティ、または周波数ダイバーシティの内の少なくとも１つを増加するための動作を行うように構成された、少なくとも１つのプロセッサとを備える、ワイヤレス通信のための装置。
［１６］  制限された通信リソースを持った、デバイスによるワイヤレス通信のための方法であって、
バンドリングされた送信について、空間的ダイバーシティ、時間ダイバーシティ、または周波数ダイバーシティの内の少なくとも１つを増加するための構成情報を受信することと、前記バンドリングされた送信は、多数のバーストを備え、ここにおいて、同一のデータが各バースト中で送信され、
前記構成情報に従って、前記バンドリングされた送信を受信することおよび処理することとを備える、方法。
［１７］  各バーストは、６個のリソースブロック（ＲＢ）を超えない狭帯域中で受信される、［１６］に記載の方法。
［１８］  前記周波数ダイバーシティを増加するための構成情報は、連続するバーストが異なる周波数リソースを使用して受信されるように、周波数ホッピングが使用されることを示す情報を備える、［１６］に記載の方法。
［１９］  異なるデバイスから、バンドリングされた送信として、データが受信されるとき、異なる周波数ホッピングパターンが使用される、［１８］に記載の方法。
［２０］  前記構成情報は、送信機の識別子に少なくとも部分的に基づいて決定される、周波数ホッピングパターンを備える、［１８］に記載の方法。
［２１］  バースト間のギャップは、制限された通信リソースを持った、前記デバイスによって、周波数再調節するのに十分な時間に基づく、［１８］に記載の方法。
［２２］  空間的ダイバーシティを増加するための前記構成情報は、連続するバーストが異なるプリコーディングで受信されることを示す情報を備える、［１６］に記載の方法。
［２３］  同一のプリコーディングが、バースト内で使用される、［２２］に記載の方法。
［２４］  プリコーディングサイクリングのタイプは、前記バンドリングされた送信において受信される、チャネルのタイプに、少なくとも部分的に依存する、［２２］に記載の方法。
［２５］  物理ダウンリンク共有チャネル（ＰＤＳＣＨ）について、前記プリコーディングサイクリングは、少なくとも２つのアンテナポートの、少なくとも２つのビーム方向へのマッピングを利用する、［２４］に記載の方法。
［２６］  バースト長、または時間ダイバーシティを増加するための前記構成情報の内の少なくとも１つは、バースト間の少なくとも１つの送信時間期間（ＴＴＩ）のギャップを示す情報を備える、［１６］に記載の方法。
［２７］  バースト長、またはバースト間のギャップの継続期間の内の少なくとも１つは、アップリンク／ダウンリンクサブフレーム構成に依存する、［１６］に記載の方法。
［２８］  前記バースト長、またはバースト間の前記ギャップの前記継続期間の内の少なくとも１つは、同一タイプの連続するサブフレームの数に依存する、［２７］に記載の方法。
［２９］  制限された通信リソースを持った、デバイスによるワイヤレス通信のための装置であって、
バンドリングされた送信について、空間的ダイバーシティ、時間ダイバーシティ、または周波数ダイバーシティの内の少なくとも１つを増加するための構成情報を受信し、前記バンドリングされた送信は、多数のバーストを備え、ここにおいて、同一のデータが各バースト中で送信され、および、前記バンドリングされた送信を受信するように構成された受信機と、
前記構成情報に従って、前記バンドリングされた送信を処理するように構成された、少なくとも１つのプロセッサとを備える、装置。